(57)【要約】【課題】本発明は省エネ型河道汚染物の引揚装置を開示した。【解決手段】本発明は省エネ型河道汚染物の引揚装置を開示し、主体を含み、前記主体の左側には引揚装置が設置され、前記引揚装置は前記主体の左端面の下端に前後対称に設置された固定板を含み、前記固定板の間にはローラが回転可能に設置され、前記ローラが逆流方向へ回転することでゴミの引揚を行え、本発明は河流の流動エネルギーを輔助運動エネルギーに転換し、引揚作業に一部のエネルギーを提供し、電気エネルギーの消耗を減少でき、また、太陽エネルギーを利用してエネルギーチャージもでき、同時に、天気具合によって太陽エネルギーで発電を行え、さらに、非使用時には収納することもでき、使用寿命を延ばせ、他にも、発電所による発電をうまく減少でき、環境に優しい。【選択図】図１
2020197107.tif 000002
【特許請求の範囲】
【請求項１】
正面視で、主体を含み、前記主体の左側には引揚装置が設置され、前記引揚装置は前記主体の左端面の下端に前後対称に設置された固定板を含み、前記固定板の間にはローラが回転可能に設置され、前記ローラが逆流方向へ回転することでゴミの引揚を行え、前記主体の中の右側には水力装置が設置され、前記水力装置は前記主体の右端面の中に設置された翻転チャンバを含み、前記翻転チャンバの中にはロッカーアームが翻転可能に設置され、前記ロッカーアームの上端には水輪が前後対称に、且つ回転可能に設置され、ゴミを引き揚げる時に、前記ロッカーアームの上端を翻転させ、且つ前記水輪と水面とを接触させ、それにより、水力を輔助運動エネルギーに転換でき、前記水力装置の左側の上方には太陽エネルギー装置が設置され、前記太陽エネルギー装置は伸縮でき、天気具合に合わせて利用でき、前記太陽エネルギー装置の下側には制御装置が設置され、前記制御装置の中には移動棒が設置され、前記移動棒がまず前記水力装置を起動し、そして前記太陽エネルギー装置を起動するかどうかを選べ、前記制御装置の後側にはエネルギー提供装置が設置され、前記エネルギー提供装置は前記引揚装置にエネルギーを提供でき、且つ前記水力装置が提供した輔助運動エネルギーを受け取れることを特徴とする省エネ型河道汚染物の引揚装置。
【請求項２】
前記引揚装置は前記ローラの外円面の前後両端に固定的に設置された回転盤を含み、前記ローラの外円面には濾過板が環状に配列し、且つ固定的に設置され、前記濾過板は前記回転盤の間に位置し、且つ前記濾過板と固定的に連結され、前記ローラの中には抜き穴が前後に貫通するように設置され、前記抜き穴の円周内壁と前記ローラの外円面との間には連通口が環状に配列し、且つ連通するように設置され、それぞれの前記連通口は近接した前記濾過板の間に位置し、前記抜き穴の中には前後端が前記固定板を貫通し、且つ前記固定板に固定的に連結された固定柱が設置され、前記固定柱の中には流出通路が前後に貫通するように設置され、前記流出通路の上壁の中間部には上方に開口した落口が連通するように設置されていることを特徴とする請求項１に記載の省エネ型河道汚染物の引揚装置。
【請求項３】
前記水力装置は前記ロッカーアームの前後端面の下端に前後対称に、且つ固定的に設置された回転柱を含み、前記回転柱は前記翻転チャンバの同側の内壁に回転可能に連結され、前記ロッカーアームの中にはプーリチャンバが設置され、前記プーリチャンバの中の下側には前記回転柱と同軸心である駆動プーリが回転可能に設置され、前記駆動プーリの上側には従動プーリが回転可能に設置され、前記駆動プーリと前記従動プーリとの間には伝動ベルトが巻き付いており、前記水輪は前記従動プーリの軸心に前後対称に、且つ固定的に連結され、後側の前記回転柱の中には軸貫通孔が前後貫通するように設置され、前記駆動プーリの軸心には回転軸が固定的に設置されていることを特徴とする請求項１に記載の省エネ型河道汚染物の引揚装置。
【請求項４】
前記太陽エネルギー装置は前記主体の上端面に設置された蓋板チャンバを含み、前記蓋板チャンバの中には蓋板が左右対称に、且つ翻転可能に設置され、前記蓋板の反対した端は前記回転軸の前後壁に回転可能に連結され、且つ前記蓋板の相対した端は当接しており、前記蓋板チャンバの下側には昇降チャンバが連通するように設置され、前記昇降チャンバの中には昇降板がスライド可能に設置され、前記昇降板の上端面の左右両端には付勢棒が対称的に、且つヒンジで連結され、前記付勢棒の上端は前記蓋板の下端面にヒンジで連結され、前記昇降板の上端面の中にはソーラーパネルが固定的に設置されていることを特徴とする請求項１に記載の省エネ型河道汚染物の引揚装置。
【請求項５】
前記昇降板の下端面の中には従動スライドチャンバが設置され、前記従動スライドチャンバの中には従動スライドブロックが左右対称に、且つスライド可能に設置され、前記従動スライドブロックの下端には伸縮棒がヒンジで連結され、前記昇降チャンバの下端には駆動スライドチャンバが左右対称に、且つ連通するように設置され、前記駆動スライドチャンバの中には伸縮ネジボルトが左右貫通に、且つ回転可能に設置され、前記駆動スライドチャンバの中には前記伸縮ネジボルトにネジ山によって連結された駆動スライドブロックがスライド可能に設置され、前記伸縮棒の下端が交差した後に前記駆動スライドブロックの上端にヒンジで連結され、前記伸縮棒の交差部分は回転可能に連結されていることを特徴とする請求項１に記載の省エネ型河道汚染物の引揚装置。
【請求項６】
前記制御装置は前記駆動スライドチャンバの下側に設置された制御チャンバを含み、前記移動棒は前記制御チャンバの中に左右スライド可能に設置され、前記制御チャンバの左壁の中には制御モータが固定的に設置され、前記制御モータの右端には前記移動棒とめねじによって連結された制御ネジボルトが伝動可能に連結され、前記移動棒の上端面の中にはラックが固定的に設置され、前記制御チャンバの下壁には牽引チャンバが設置され、前記牽引チャンバの中には牽引板がスライド可能に設置され、前記牽引板の中には上方に開口した牽引ブロックチャンバが設置され、前記移動棒の下端面の右端には前記牽引ブロックチャンバの中に伸びた牽引ブロックが固定的に設置され、前記牽引チャンバと前記翻転チャンバとの間には開口が連通するように設置され、前記牽引板の右端には牽引棒がヒンジで連結され、前記牽引棒の右端は前記開口を貫通し、且つ前記ロッカーアームの左端面にヒンジで連結されていることを特徴とする請求項１に記載の省エネ型河道汚染物の引揚装置。
【請求項７】
前記制御チャンバの上壁には伝動チャンバが連通するように設置され、前記伝動チャンバの中には前記ラックと噛み合えるラック歯車が回転可能に設置され、前記ラック歯車の前側には駆動斜歯歯車が同軸に、且つ固定的に設置され、前記伸縮ネジボルトの右端は前記伝動チャンバの中に伸び、且つ前記伸縮ネジボルトの右端には前記駆動斜歯歯車と噛み合った従動斜歯歯車が固定的に設置されていることを特徴とする請求項１に記載の省エネ型河道汚染物の引揚装置。
【請求項８】
前記エネルギー提供装置は前記制御チャンバの後側に設置されたエネルギー提供チャンバを含み、前記エネルギー提供チャンバは前記主体と後側の前記固定板との中に連通するように設置され、前記エネルギー提供チャンバの後壁の中には動力モータが固定的に設置され、前記動力モータの前端には動力平歯車が伝動可能に連結され、前記動力平歯車の前側には動力プーリが同軸に、且つ固定的に設置され、前記ローラの後端は前記エネルギー提供チャンバの中に伸び、且つ前記ローラの後端には環状プーリが固定的に設置され、前記動力プーリと前記環状プーリとの間には動力ベルトが巻き付いており、前記動力平歯車の右側には前記動力平歯車と噛み合った伝動平歯車が回転可能に設置され、前記伝動平歯車の前側には主同期プーリが同期に、且つ固定的に設置され、前記回転軸の後端は前記エネルギー提供チャンバの中に伸び、且つ前記回転軸の後端には副同期プーリが固定的に設置され、前記主同期プーリと前記副同期プーリとの間には同期ベルトが巻き付いていることを特徴とする請求項１に記載の省エネ型河道汚染物の引揚装置。
【請求項９】
前記エネルギー提供チャンバの上壁には電気貯蔵箱が固定的に設置されていることを特徴とする請求項１に記載の省エネ型河道汚染物の引揚装置。
【発明の詳細な説明】
【技術分野】
【０００１】
本発明は環境保護技術分野を取り上げ、具体的には省エネ型河道汚染物の引揚装置である。
【背景技術】
【０００２】
伝統的な河道汚染物の引揚装置は外部から電気を提供する必要がある。電気のほとんどは発電所によって提供され、そして装置は発動機によって働く。しかし、引揚装置を長時間に使用すると、消耗する電気量が膨大で、また、それらの電気を生み出すための資源消耗と環境汚染もひどい。河道の中のゴミを処分はできていたが、空気汚染を招いてしまい、環境に優しくない。本発明が開示した装置は上記の問題を解決できる。
【先行技術文献】
【特許文献】
【０００３】
【特許文献１】中国特許出願公開第１０４２６４６４５号明細書
【発明の概要】
【発明が解決しようとする課題】
【０００４】
本発明は省エネ型河道汚染物の引揚装置を提供し、既存技術にある上記の欠点を解消することを目的とする。
【課題を解決するための手段】
【０００５】
本発明の省エネ型河道汚染物の引揚装置は、主体を含み、前記主体の左側には引揚装置が設置され、前記引揚装置は前記主体の左端面の下端に前後対称に設置された固定板を含み、前記固定板の間にはローラが回転可能に設置され、前記ローラが逆流方向へ回転することでゴミの引揚を行え、前記主体の中の右側には水力装置が設置され、前記水力装置は前記主体の右端面の中に設置された翻転チャンバを含み、前記翻転チャンバの中にはロッカーアームが翻転可能に設置され、前記ロッカーアームの上端には水輪が前後対称に、且つ回転可能に設置され、ゴミを引き揚げる時に、前記ロッカーアームの上端を翻転させ、且つ前記水輪と水面とを接触させ、それにより、水力を輔助運動エネルギーに転換でき、前記水力装置の左側の上方には太陽エネルギー装置が設置され、前記太陽エネルギー装置は伸縮でき、天気具合に合わせて利用でき、前記太陽エネルギー装置の下側には制御装置が設置され、前記制御装置の中には移動棒が設置され、前記移動棒がまず前記水力装置を起動し、そして前記太陽エネルギー装置を起動するかどうかを選べ、前記制御装置の後側にはエネルギー提供装置が設置され、前記エネルギー提供装置は前記引揚装置にエネルギーを提供でき、且つ前記水力装置が提供した輔助運動エネルギーを受け取れる。
【０００６】
前記引揚装置は前記ローラの外円面の前後両端に固定的に設置された回転盤を含み、前記ローラの外円面には濾過板が環状に配列し、且つ固定的に設置され、前記濾過板は前記回転盤の間に位置し、且つ前記濾過板と固定的に連結され、前記ローラの中には抜き穴が前後に貫通するように設置され、前記抜き穴の円周内壁と前記ローラの外円面との間には連通口が環状に配列し、且つ連通するように設置され、それぞれの前記連通口は近接した前記濾過板の間に位置し、前記抜き穴の中には前後端が前記固定板を貫通し、且つ前記固定板に固定的に連結された固定柱が設置され、前記固定柱の中には流出通路が前後に貫通するように設置され、前記流出通路の上壁の中間部には上方に開口した落口が連通するように設置され、前記連通口と前記落口とが向き合った時に、前記濾過板で引き揚げたゴミは前記流出通路に落ち、排出されることができる。
【０００７】
前記水力装置は前記ロッカーアームの前後端面の下端に前後対称に、且つ固定的に設置された回転柱を含み、前記回転柱は前記翻転チャンバの同側の内壁に回転可能に連結され、前記ロッカーアームの中にはプーリチャンバが設置され、前記プーリチャンバの中の下側には前記回転柱と同軸心である駆動プーリが回転可能に設置され、前記駆動プーリの上側には従動プーリが回転可能に設置され、前記駆動プーリと前記従動プーリとの間には伝動ベルトが巻き付いており、前記水輪は前記従動プーリの軸心に前後対称に、且つ固定的に連結され、後側の前記回転柱の中には軸貫通孔が前後貫通するように設置され、前記駆動プーリの軸心には回転軸が固定的に設置され、前記回転軸の後端は前記軸貫通孔を貫通し、且つ前記エネルギー提供装置に連結されている。
【０００８】
前記太陽エネルギー装置は前記主体の上端面に設置された蓋板チャンバを含み、前記蓋板チャンバの中には蓋板が左右対称に、且つ翻転可能に設置され、前記蓋板の反対した端は前記回転軸の前後壁に回転可能に連結され、且つ前記蓋板の相対した端は当接しており、前記蓋板チャンバの下側には昇降チャンバが連通するように設置され、前記昇降チャンバの中には昇降板がスライド可能に設置され、前記昇降板の上端面の左右両端には付勢棒が対称的に、且つヒンジで連結され、前記付勢棒の上端は前記蓋板の下端面にヒンジで連結され、前記昇降板の上端面の中にはソーラーパネルが固定的に設置されている。
【０００９】
好適な技術プランとして、前記昇降板の下端面の中には従動スライドチャンバが設置され、前記従動スライドチャンバの中には従動スライドブロックが左右対称に、且つスライド可能に設置され、前記従動スライドブロックの下端には伸縮棒がヒンジで連結され、前記昇降チャンバの下端には駆動スライドチャンバが左右対称に、且つ連通するように設置され、前記駆動スライドチャンバの中には伸縮ネジボルトが左右貫通に、且つ回転可能に設置され、前記駆動スライドチャンバの中には前記伸縮ネジボルトにネジ山によって連結された駆動スライドブロックがスライド可能に設置され、前記伸縮棒の下端が交差した後に前記駆動スライドブロックの上端にヒンジで連結され、前記伸縮棒の交差部分は回転可能に連結されている。
【００１０】
前記制御装置は前記駆動スライドチャンバの下側に設置された制御チャンバを含み、前記移動棒は前記制御チャンバの中に左右スライド可能に設置され、前記制御チャンバの左壁の中には制御モータが固定的に設置され、前記制御モータの右端には前記移動棒とめねじによって連結された制御ネジボルトが伝動可能に連結され、前記移動棒の上端面の中にはラックが固定的に設置され、前記制御チャンバの下壁には牽引チャンバが設置され、前記牽引チャンバの中には牽引板がスライド可能に設置され、前記牽引板の中には上方に開口した牽引ブロックチャンバが設置され、前記移動棒の下端面の右端には前記牽引ブロックチャンバの中に伸びた牽引ブロックが固定的に設置され、前記牽引チャンバと前記翻転チャンバとの間には開口が連通するように設置され、前記牽引板の右端には牽引棒がヒンジで連結され、前記牽引棒の右端は前記開口を貫通し、且つ前記ロッカーアームの左端面にヒンジで連結されている。
【００１１】
好適な技術プランとして、前記制御チャンバの上壁には伝動チャンバが連通するように設置され、前記伝動チャンバの中には前記ラックと噛み合えるラック歯車が回転可能に設置され、前記ラック歯車の前側には駆動斜歯歯車が同軸に、且つ固定的に設置され、前記伸縮ネジボルトの右端は前記伝動チャンバの中に伸び、且つ前記伸縮ネジボルトの右端には前記駆動斜歯歯車と噛み合った従動斜歯歯車が固定的に設置されている。
【００１２】
前記エネルギー提供装置は前記制御チャンバの後側に設置されたエネルギー提供チャンバを含み、前記エネルギー提供チャンバは前記主体と後側の前記固定板との中に連通するように設置され、前記エネルギー提供チャンバの後壁の中には動力モータが固定的に設置され、前記動力モータの前端には動力平歯車が伝動可能に連結され、前記動力平歯車の前側には動力プーリが同軸に、且つ固定的に設置され、前記ローラの後端は前記エネルギー提供チャンバの中に伸び、且つ前記ローラの後端には環状プーリが固定的に設置され、前記動力プーリと前記環状プーリとの間には動力ベルトが巻き付いており、前記動力平歯車の右側には前記動力平歯車と噛み合った伝動平歯車が回転可能に設置され、前記伝動平歯車の前側には主同期プーリが同期に、且つ固定的に設置され、前記回転軸の後端は前記エネルギー提供チャンバの中に伸び、且つ前記回転軸の後端には副同期プーリが固定的に設置され、前記主同期プーリと前記副同期プーリとの間には同期ベルトが巻き付いている。
【００１３】
好適な技術プランとして、前記エネルギー提供チャンバの上壁には電気貯蔵箱が固定的に設置され、前記電気貯蔵箱は前記ソーラーパネルと、前記制御モータと、前記動力モータとに通電可能に連結され、前記ソーラーパネルによって転換した電気は前記電気貯蔵箱の中に貯蔵され、前記電気貯蔵箱は前記制御モータと前記動力モータとに電気を提供する。
【発明の効果】
【００１４】
本発明のメリットは：本発明は河流の流動エネルギーを輔助運動エネルギーに転換し、引揚作業に一部のエネルギーを提供し、電気エネルギーの消耗を減少でき、また、太陽エネルギーを利用してエネルギーチャージもでき、同時に、天気具合によって太陽エネルギーで発電を行え、さらに、非使用時には収納することもでき、使用寿命を延ばせ、他にも、発電所による発電をうまく減少でき、環境に優しい。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の省エネ型河道汚染物の引揚装置の全体構成略図
【図２】図２は図１におけるＡ―Ａ方向からの構成略図
【図３】図３は図１におけるＢ―Ｂ方向からの構成略図
【図４】図４は図２におけるＣ―Ｃ方向からの構成略図
【図５】図５は図４におけるＤ―Ｄ方向からの構成略図
【発明を実施するための形態】
【００１７】
本発明の省エネ型河道汚染物の引揚装置は、主に河道汚染物に対する引揚作業と省エネ作業に応用し、下記に附図を合わせ、本発明にさらなる説明を行う。
【００１８】
本発明の省エネ型河道汚染物の引揚装置は、主体１１を含み、前記主体１１の左側には引揚装置１０１が設置され、前記引揚装置１０１は前記主体１１の左端面の下端に前後対称に設置された固定板１２を含み、前記固定板１２の間にはローラ１３が回転可能に設置され、前記ローラ１３が逆流方向へ回転することでゴミの引揚を行え、前記主体１１の中の右側には水力装置１０２が設置され、前記水力装置１０２は前記主体１１の右端面の中に設置された翻転チャンバ１４を含み、前記翻転チャンバ１４の中にはロッカーアーム１５が翻転可能に設置され、前記ロッカーアーム１５の上端には水輪１６が前後対称に、且つ回転可能に設置され、ゴミを引き揚げる時に、前記ロッカーアーム１５の上端を翻転させ、且つ前記水輪１６と水面とを接触させ、それにより、水力を輔助運動エネルギーに転換でき、前記水力装置１０２の左側の上方には太陽エネルギー装置１０３が設置され、前記太陽エネルギー装置１０３は伸縮でき、天気具合に合わせて利用でき、前記太陽エネルギー装置１０３の下側には制御装置１０４が設置され、前記制御装置１０４の中には移動棒１７が設置され、前記移動棒１７がまず前記水力装置１０２を起動し、そして前記太陽エネルギー装置１０３を起動するかどうかを選べ、前記制御装置１０４の後側にはエネルギー提供装置１０５が設置され、前記エネルギー提供装置１０５は前記引揚装置１０１にエネルギーを提供でき、且つ前記水力装置１０２が提供した輔助運動エネルギーを受け取れる。
【００１９】
好ましくは、前記引揚装置１０１は前記ローラ１３の外円面の前後両端に固定的に設置された回転盤１８を含み、前記ローラ１３の外円面には濾過板１９が環状に配列し、且つ固定的に設置され、前記濾過板１９は前記回転盤１８の間に位置し、且つ前記濾過板１９と固定的に連結され、前記ローラ１３の中には抜き穴２０が前後に貫通するように設置され、前記抜き穴２０の円周内壁と前記ローラ１３の外円面との間には連通口２１が環状に配列し、且つ連通するように設置され、それぞれの前記連通口２１は近接した前記濾過板１９の間に位置し、前記抜き穴２０の中には前後端が前記固定板１２を貫通し、且つ前記固定板１２に固定的に連結された固定柱２２が設置され、前記固定柱２２の中には流出通路２３が前後に貫通するように設置され、前記流出通路２３の上壁の中間部には上方に開口した落口２４が連通するように設置され、前記連通口２１と前記落口２４とが向き合った時に、前記濾過板１９で引き揚げたゴミは前記流出通路２３に落ち、排出されることができる。
【００２０】
好ましくは、前記水力装置１０２は前記ロッカーアーム１５の前後端面の下端に前後対称に、且つ固定的に設置された回転柱２５を含み、前記回転柱２５は前記翻転チャンバ１４の同側の内壁に回転可能に連結され、前記ロッカーアーム１５の中にはプーリチャンバ２６が設置され、前記プーリチャンバ２６の中の下側には前記回転柱２５と同軸心である駆動プーリ２７が回転可能に設置され、前記駆動プーリ２７の上側には従動プーリ２８が回転可能に設置され、前記駆動プーリ２７と前記従動プーリ２８との間には伝動ベルト２９が巻き付いており、前記水輪１６は前記従動プーリ２８の軸心に前後対称に、且つ固定的に連結され、後側の前記回転柱２５の中には軸貫通孔３０が前後貫通するように設置され、前記駆動プーリ２７の軸心には回転軸３１が固定的に設置され、前記回転軸３１の後端は前記軸貫通孔３０を貫通し、且つ前記エネルギー提供装置１０５に連結されている。  
【００２１】
好ましくは、前記太陽エネルギー装置１０３は前記主体１１の上端面に設置された蓋板チャンバ３２を含み、前記蓋板チャンバ３２の中には蓋板３３が左右対称に、且つ翻転可能に設置され、前記蓋板３３の反対した端は前記回転軸３１の前後壁に回転可能に連結され、且つ前記蓋板３３の相対した端は当接しており、前記蓋板チャンバ３２の下側には昇降チャンバ３４が連通するように設置され、前記昇降チャンバ３４の中には昇降板３５がスライド可能に設置され、前記昇降板３５の上端面の左右両端には付勢棒３６が対称的に、且つヒンジで連結され、前記付勢棒３６の上端は前記蓋板３３の下端面にヒンジで連結され、前記昇降板３５の上端面の中にはソーラーパネル３７が固定的に設置されている。
【００２２】
好ましくは、前記昇降板３５の下端面の中には従動スライドチャンバ３８が設置され、前記従動スライドチャンバ３８の中には従動スライドブロック３９が左右対称に、且つスライド可能に設置され、前記従動スライドブロック３９の下端には伸縮棒４０がヒンジで連結され、前記昇降チャンバ３４の下端には駆動スライドチャンバ４１が左右対称に、且つ連通するように設置され、前記駆動スライドチャンバ４１の中には伸縮ネジボルト４２が左右貫通に、且つ回転可能に設置され、前記駆動スライドチャンバ４１の中には前記伸縮ネジボルト４２にネジ山によって連結された駆動スライドブロック４３がスライド可能に設置され、前記伸縮棒４０の下端が交差した後に前記駆動スライドブロック４３の上端にヒンジで連結され、前記伸縮棒４０の交差部分は回転可能に連結されている。
【００２３】
好ましくは、前記制御装置１０４は前記駆動スライドチャンバ４１の下側に設置された制御チャンバ４４を含み、前記移動棒１７は前記制御チャンバ４４の中に左右スライド可能に設置され、前記制御チャンバ４４の左壁の中には制御モータ４５が固定的に設置され、前記制御モータ４５の右端には前記移動棒１７とめねじによって連結された制御ネジボルト４６が伝動可能に連結され、前記移動棒１７の上端面の中にはラック４７が固定的に設置され、前記制御チャンバ４４の下壁には牽引チャンバ４８が設置され、前記牽引チャンバ４８の中には牽引板４９がスライド可能に設置され、前記牽引板４９の中には上方に開口した牽引ブロックチャンバ５０が設置され、前記移動棒１７の下端面の右端には前記牽引ブロックチャンバ５０の中に伸びた牽引ブロック５１が固定的に設置され、前記牽引チャンバ４８と前記翻転チャンバ１４との間には開口５２が連通するように設置され、前記牽引板４９の右端には牽引棒５３がヒンジで連結され、前記牽引棒５３の右端は前記開口５２を貫通し、且つ前記ロッカーアーム１５の左端面にヒンジで連結されている。
【００２４】
好ましくは、前記制御チャンバ４４の上壁には伝動チャンバ５４が連通するように設置され、前記伝動チャンバ５４の中には前記ラック４７と噛み合えるラック歯車５５が回転可能に設置され、前記ラック歯車５５の前側には駆動斜歯歯車５６が同軸に、且つ固定的に設置され、前記伸縮ネジボルト４２の右端は前記伝動チャンバ５４の中に伸び、且つ前記伸縮ネジボルト４２の右端には前記駆動斜歯歯車５６と噛み合った従動斜歯歯車５７が固定的に設置されている。
【００２５】
好ましくは、前記エネルギー提供装置１０５は前記制御チャンバ４４の後側に設置されたエネルギー提供チャンバ５８を含み、前記エネルギー提供チャンバ５８は前記主体１１と後側の前記固定板１２との中に連通するように設置され、前記エネルギー提供チャンバ５８の後壁の中には動力モータ５９が固定的に設置され、前記動力モータ５９の前端には動力平歯車６０が伝動可能に連結され、前記動力平歯車６０の前側には動力プーリ６１が同軸に、且つ固定的に設置され、前記ローラ１３の後端は前記エネルギー提供チャンバ５８の中に伸び、且つ前記ローラ１３の後端には環状プーリ６２が固定的に設置され、前記動力プーリ６１と前記環状プーリ６２との間には動力ベルト６３が巻き付いており、前記動力平歯車６０の右側には前記動力平歯車６０と噛み合った伝動平歯車６４が回転可能に設置され、前記伝動平歯車６４の前側には主同期プーリ６５が同期に、且つ固定的に設置され、前記回転軸３１の後端は前記エネルギー提供チャンバ５８の中に伸び、且つ前記回転軸３１の後端には副同期プーリ６６が固定的に設置され、前記主同期プーリ６５と前記副同期プーリ６６との間には同期ベルト６７が巻き付いている。
【００２６】
好ましくは、前記エネルギー提供チャンバ５８の上壁には電気貯蔵箱６８が固定的に設置され、前記電気貯蔵箱６８は前記ソーラーパネル３７と、前記制御モータ４５と、前記動力モータ５９とに通電可能に連結され、前記ソーラーパネル３７によって転換した電気は前記電気貯蔵箱６８の中に貯蔵され、前記電気貯蔵箱６８は前記制御モータ４５と前記動力モータ５９とに電気を提供する。
【００２７】
下記に附図を合わせて、本発明の使用手順を詳しく説明する：
【００２８】
はじめに、本装置を河道に架け渡し、固定板１２を上流方向に向かせ、下側の濾過板１９を河の中に浸し、ロッカーアーム１５は縦向きであり、昇降板３５は昇降チャンバ３４の中に収縮し、蓋板３３は昇降チャンバ３４の上側を閉鎖し、移動棒１７は左の限界位置にあり、牽引ブロック５１と牽引ブロックチャンバ５０の左端面とは当接している。
【００２９】
ゴミを引き揚げる時に、制御モータ４５を起動し、制御モータ４５は制御ネジボルト４６の回転を駆動し、制御ネジボルト４６はネジ山連結によって移動棒１７を右へ移動連動させ、且つ牽引ブロック５１を右へ移動連動させ、牽引板４９は牽引棒５３によってロッカーアーム１５を牽引し、この時、ロッカーアーム１５の上端は重力によって右へ翻転し水面に至り、この時、ロッカーアーム１５は牽引板４９を引き動かし、牽引板４９を右へ移動させて牽引チャンバ４８の右壁と当接させ、この時、水輪１６の下端と水面とは当接し、この時、水流によって水輪１６は反時計回りに回転駆動され、それにより、従動プーリ２８は駆動されて回転し、伝動ベルト２９によって駆動プーリ２７は回転駆動され、回転軸３１によって副同期プーリ６６は回転駆動され、同期ベルト６７によって主同期プーリ６５は回転駆動され、且つ伝動平歯車６４を反時計回りに回転連動させ、歯車の噛み合いによって動力平歯車６０を時計回りに回転連動させ、それにより、輔助運動エネルギーを提供でき、この時、動力モータ５９は起動し、且つ主動力として動力平歯車６０を連動させて時計回りに回転させ、そして動力プーリ６１は駆動されて回転し、動力ベルト６３によって環状プーリ６２は駆動されて回転し、且つローラ１３を連動させて時計回りに回転させ、それにより、濾過板１９は駆動されて逆流に沿い、ゴミを引き揚げる。
【００３０】
太陽エネルギーで発電する時に、制御モータ４５は引き続き作動し、移動棒１７を連動させて引き続き右へ移動させ、この時、牽引ブロック５１と牽引ブロックチャンバ５０とは当接しなくなり、ラック４７とラック歯車５５とは噛み合い、ラック４７が右へ移動する時に、歯の噛み合いによってラック歯車５５を連動させて回転させ、そして駆動斜歯歯車５６は駆動されて回転し、歯車の噛み合いによって従動斜歯歯車５７は駆動されて回転し、且つ伸縮ネジボルト４２の回転を連動させ、ネジ山の連結によって駆動スライドブロック４３は駆動されて相対移動し、伸縮棒４０によって昇降板３５は押されて上昇し、そして付勢棒３６によって蓋板３３のうち向き合った端は駆動されて上へ翻転し開き、さらにソーラーパネル３７によって太陽エネルギー発電を行い、且つ電気貯蔵箱６８によって電気を貯蔵する。
【００３１】
本発明のメリットは：本発明は河流の流動エネルギーを輔助運動エネルギーに転換し、引揚作業に一部のエネルギーを提供し、電気エネルギーの消耗を減少でき、また、太陽エネルギーを利用してエネルギーチャージもでき、同時に、天気具合によって太陽エネルギーで発電を行え、さらに、非使用時には収納することもでき、使用寿命を延ばせ、他にも、発電所による発電をうまく減少でき、環境に優しい。
【００３２】
以上の方法により、本分野の従業員は本発明の範囲内で作業内容に合わせて様々な変化を加えることができる。
【図１】
2020197107.tif 000003
【図２】
2020197107.tif 000004
【図３】
2020197107.tif 000005
【図４】
2020197107.tif 000006
【図５】
2020197107.tif 000007
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
正面視で、主体を含み、前記主体の左側には引揚装置が設置され、前記引揚装置は前記主体の左端面の下端に前後対称に設置された固定板を含み、前記固定板の間にはローラが回転可能に設置され、前記ローラが逆流方向へ回転することでゴミの引揚を行え、前記主体の中の右側には水力装置が設置され、前記水力装置は前記主体の右端面の中に設置された翻転チャンバを含み、前記翻転チャンバの中にはロッカーアームが翻転可能に設置され、前記ロッカーアームの上端には水輪が前後対称に、且つ回転可能に設置され、ゴミを引き揚げる時に、前記ロッカーアームの上端を翻転させ、且つ前記水輪と水面とを接触させ、それにより、水力を輔助運動エネルギーに転換でき、前記水力装置の左側の上方には太陽エネルギー装置が設置され、前記太陽エネルギー装置は伸縮でき、天気具合に合わせて利用でき、前記太陽エネルギー装置の下側には制御装置が設置され、前記制御装置の中には移動棒が設置され、前記移動棒がまず前記水力装置を起動し、そして前記太陽エネルギー装置を起動するかどうかを選べ、前記制御装置の後側にはエネルギー提供装置が設置され、前記エネルギー提供装置は前記引揚装置にエネルギーを提供でき、且つ前記水力装置が提供した輔助運動エネルギーを受け取れ、
前記引揚装置は前記ローラの外円面の前後両端に固定的に設置された回転盤を含み、前記ローラの外円面には濾過板が環状に配列し、且つ固定的に設置され、前記濾過板は前記回転盤の間に位置し、且つ前記濾過板と固定的に連結され、前記ローラの中には抜き穴が前後に貫通するように設置され、前記抜き穴の円周内壁と前記ローラの外円面との間には連通口が環状に配列し、且つ連通するように設置され、それぞれの前記連通口は近接した前記濾過板の間に位置し、前記抜き穴の中には前後端が前記固定板を貫通し、且つ前記固定板に固定的に連結された固定柱が設置され、前記固定柱の中には流出通路が前後に貫通するように設置され、前記流出通路の上壁の中間部には上方に開口した落口が連通するように設置され、
前記水力装置は前記ロッカーアームの前後端面の下端に前後対称に、且つ固定的に設置された回転柱を含み、前記回転柱は前記翻転チャンバの同側の内壁に回転可能に連結され、前記ロッカーアームの中にはプーリチャンバが設置され、前記プーリチャンバの中の下側には前記回転柱と同軸心である駆動プーリが回転可能に設置され、前記駆動プーリの上側には従動プーリが回転可能に設置され、前記駆動プーリと前記従動プーリとの間には伝動ベルトが巻き付いており、前記水輪は前記従動プーリの軸心に前後対称に、且つ固定的に連結され、後側の前記回転柱の中には軸貫通孔が前後貫通するように設置され、前記駆動プーリの軸心には回転軸が固定的に設置され、
前記太陽エネルギー装置は前記主体の上端面に設置された蓋板チャンバを含み、前記蓋板チャンバの中には蓋板が左右対称に、且つ翻転可能に設置され、前記蓋板の反対した端は前記回転軸の前後壁に回転可能に連結され、且つ前記蓋板の相対した端は当接しており、前記蓋板チャンバの下側には昇降チャンバが連通するように設置され、前記昇降チャンバの中には昇降板がスライド可能に設置され、前記昇降板の上端面の左右両端には付勢棒が対称的に、且つヒンジで連結され、前記付勢棒の上端は前記蓋板の下端面にヒンジで連結され、前記昇降板の上端面の中にはソーラーパネルが固定的に設置され、
前記昇降板の下端面の中には従動スライドチャンバが設置され、前記従動スライドチャンバの中には従動スライドブロックが左右対称に、且つスライド可能に設置され、前記従動スライドブロックの下端には伸縮棒がヒンジで連結され、前記昇降チャンバの下端には駆動スライドチャンバが左右対称に、且つ連通するように設置され、前記駆動スライドチャンバの中には伸縮ネジボルトが左右貫通に、且つ回転可能に設置され、前記駆動スライドチャンバの中には前記伸縮ネジボルトにネジ山によって連結された駆動スライドブロックがスライド可能に設置され、前記伸縮棒の下端が交差した後に前記駆動スライドブロックの上端にヒンジで連結され、前記伸縮棒の交差部分は回転可能に連結され、
前記制御装置は前記駆動スライドチャンバの下側に設置された制御チャンバを含み、前記移動棒は前記制御チャンバの中に左右スライド可能に設置され、前記制御チャンバの左壁の中には制御モータが固定的に設置され、前記制御モータの右端には前記移動棒とめねじによって連結された制御ネジボルトが伝動可能に連結され、前記移動棒の上端面の中にはラックが固定的に設置され、前記制御チャンバの下壁には牽引チャンバが設置され、前記牽引チャンバの中には牽引板がスライド可能に設置され、前記牽引板の中には上方に開口した牽引ブロックチャンバが設置され、前記移動棒の下端面の右端には前記牽引ブロックチャンバの中に伸びた牽引ブロックが固定的に設置され、前記牽引チャンバと前記翻転チャンバとの間には開口が連通するように設置され、前記牽引板の右端には牽引棒がヒンジで連結され、前記牽引棒の右端は前記開口を貫通し、且つ前記ロッカーアームの左端面にヒンジで連結され、
前記制御チャンバの上壁には伝動チャンバが連通するように設置され、前記伝動チャンバの中には前記ラックと噛み合えるラック歯車が回転可能に設置され、前記ラック歯車の前側には駆動斜歯歯車が同軸に、且つ固定的に設置され、前記伸縮ネジボルトの右端は前記伝動チャンバの中に伸び、且つ前記伸縮ネジボルトの右端には前記駆動斜歯歯車と噛み合った従動斜歯歯車が固定的に設置され、
前記エネルギー提供装置は前記制御チャンバの後側に設置されたエネルギー提供チャンバを含み、前記エネルギー提供チャンバは前記主体と後側の前記固定板との中に連通するように設置され、前記エネルギー提供チャンバの後壁の中には動力モータが固定的に設置され、前記動力モータの前端には動力平歯車が伝動可能に連結され、前記動力平歯車の前側には動力プーリが同軸に、且つ固定的に設置され、前記ローラの後端は前記エネルギー提供チャンバの中に伸び、且つ前記ローラの後端には環状プーリが固定的に設置され、前記動力プーリと前記環状プーリとの間には動力ベルトが巻き付いており、前記動力平歯車の右側には前記動力平歯車と噛み合った伝動平歯車が回転可能に設置され、前記伝動平歯車の前側には主同期プーリが同期に、且つ固定的に設置され、前記回転軸の後端は前記エネルギー提供チャンバの中に伸び、且つ前記回転軸の後端には副同期プーリが固定的に設置され、前記主同期プーリと前記副同期プーリとの間には同期ベルトが巻き付き、
前記エネルギー提供チャンバの上壁には電気貯蔵箱が固定的に設置され、前記電気貯蔵箱は前記ソーラーパネルと、前記制御モータと、前記動力モータとに通電可能に連結され、前記ソーラーパネルによって転換した電気は前記電気貯蔵箱の中に貯蔵され、前記電気貯蔵箱は前記制御モータと前記動力モータとに電気を提供することを特徴とする省エネ型河道汚染物の引揚装置。